(57)【要約】      （修正有）【課題】複数の保冷材その他の備品を収納するポケットをワンタッチで形成することができる包装箱におけるポケット構造を提供する。【解決手段】平面視多角形の底板２と、底板の各周辺に沿って起立する長方形又は正方形の周壁３ａ，３ｂ，７ａ，７ｂと、底板と略同形の天板４又は同形状の蓋部とを備え、底板２の周辺と周壁の下端の間又は隣接する周壁同士の間若しくは天板の周辺と周壁の上端の間に箱内面で谷線状で且つ直線的な辺を構成する折目６ａ，６ｂ，６ｃ，６ｄを設け、折目を介して全体を箱状に組立てる。天板又は周壁３ａ，３ｂの内面の折目上若しくは折目に沿った近接位置にのり付部２３ａ，２３ｂ，２４ａ，２４ｂを形成して、天板又は周壁３ａ，３ｂの内面をそれぞれ覆うポケット形成用のシート２１の相対応する両端をそれぞれ貼着した。【選択図】図４
0003107354.tif 000002
【実用新案登録請求の範囲】
【請求項１】
平面視多角形の底板（２）と、該底板（２）の各周辺に沿って起立する長方形又は正方形の周壁（３ａ），（３ｂ），（７ａ），（７ｂ）と、前記底板（２）と略同形の天板（４）又は同形状の蓋部とを備え、上記底板（２）の周辺と周壁（３ａ），（３ｂ），（７ａ），（７ｂ）の下端の間又は隣接する周壁（３ａ），（３ｂ），（７ａ），（７ｂ）同士の間若しくは天板（４）の周辺と周壁（３ａ），（３ｂ），（７ａ），（７ｂ）の上端の間に箱内面で谷線状で且つ直線的な辺を構成する折目（６ａ），（６ｂ），（６ｃ），（６ｄ）を設け、該折目（６ａ），（６ｂ），（６ｃ），（６ｄ）を介して全体を箱状に組立てる包装箱において、上記天板（４）又は周壁（３ａ），（３ｂ）の内面の折目（６ａ），（６ｂ），（６ｃ），（６ｄ）上若しくは折目（６ａ），（６ｂ），（６ｃ），（６ｄ）に沿った近接位置にのり付部（２３ａ），（２３ｂ），（２４ａ），（２４ｂ）を形成して、上記天板（４）又は周壁（３ａ），（３ｂ）の内面をそれぞれ覆うポケット（２２）形成用のシート（２１）の相対応する両端をそれぞれ貼着し、上記天板（４）又は周壁（３ａ），（３ｂ）を折曲げて組立てることによりシート（２１）ののり付部（２３ａ），（２３ｂ）間又は（２４ａ），（２４ｂ）間をたるませて保冷材（４１）その他の備品を収納するポケット（２２）を形成した包装箱におけるポケット構造。
【請求項２】
箱材を一定の厚みを有する紙材とし、折目（６ａ），（６ｂ），（６ｃ），（６ｄ）又は折目（６ａ），（６ｂ），（６ｃ），（６ｄ）両側近傍の断面部の内面側が圧縮され外面側が伸展されることにより上記シート（２１）のたるみを生じさせる請求項１の包装箱におけるポケット構造。
【請求項３】
折目（６ａ），（６ｂ），（６ｃ），（６ｄ）が折目形成加工によりその断面内において軟質化され且つ内面側に突出する凸状に形成された請求項１又は２の包装箱におけるポケット構造。
【請求項４】
直線状に且つ連続的又は間欠的に形成されたのり付部（２３ａ），（２３ｂ），（２４ａ），（２４ｂ）と交差する側のシート（２１）の一方の辺又は両方の辺の端部を非接着の開放された端部とした請求項１，２又は３の包装箱におけるポケット構造。
【請求項５】
シート（２１）がフィルム，紙，不織布又は布からなる請求項１，２，３又は４の包装箱におけるポケット構造。
【考案の詳細な説明】
【技術分野】
【０００１】
この考案はケーキ等の収容物を収容する包装箱に関し、特に保冷材やローソク，メッセージカードその他の付属品等を収納するポケット構造に関する。
【背景技術】
【０００２】
従来の保冷材等を収納するポケットを備えた包装箱としては、特許文献１の図３に示すように、天板を部分的に切り起こして形成する手提げ用の把手（取手４５，４６）を設けた包装箱において、天板側をプラスチックフィルムで、底面側を不織布で形成し、開口部を正面側に形成した筒状収容部５１（ポケット）を天板内面側に接着固定したものが公知である。
【特許文献１】登録実用新案第３０８８８９８号公報（図３）
【考案の開示】
【考案が解決しようとする課題】
【０００３】
しかし、特許文献１に示す実施例では、天板の裏面側に撓みを持たせたポケット状の収容部を設けているために、該収容部に保冷材等の備品を収容した際に、収容部の下面シート部が撓み、ケーキ等の内容物を傷つける可能性があり、収容部の下面シート部の撓みを考慮し、収容するケーキ等の内容物に比して、包装箱高さを高く形成しなければならなかった。また天板側をフィルムで底板側を不織布で形成したポケットを貼着する作業が工程上煩雑であるほか、天板内面側１箇所の収容では保冷材を収容すると他の備品を収容することができなかった。
この考案は、これらの課題を解決又は改善しようとするものである。
【課題を解決するための手段】
【０００４】
上記課題を解決するための本考案の包装箱におけるポケット構造は、第１に、平面視多角形の底板２と、該底板２の各周辺に沿って起立する長方形又は正方形の周壁３ａ，３ｂ，７ａ，７ｂと、前記底板２と略同形の天板４又は同形状の蓋部とを備え、上記底板２の周辺と周壁３ａ，３ｂ，７ａ，７ｂの下端の間又は隣接する周壁３ａ，３ｂ，７ａ，７ｂ同士の間若しくは天板４の周辺と周壁３ａ，３ｂ，７ａ，７ｂの上端の間に箱内面で谷線状で且つ直線的な辺を構成する折目６ａ，６ｂ，６ｃ，６ｄを設け、該折目６ａ，６ｂ，６ｃ，６ｄを介して全体を箱状に組立てる包装箱において、上記天板４又は周壁３ａ，３ｂの内面の折目６ａ，６ｂ，６ｃ，６ｄ上若しくは折目６ａ，６ｂ，６ｃ，６ｄに沿った近接位置にのり付部２３ａ，２３ｂ，２４ａ，２４ｂを形成して、上記天板４又は周壁３ａ，３ｂの内面をそれぞれ覆うポケット２２形成用のシート２１の相対応する両端をそれぞれ貼着し、上記天板４又は周壁３ａ，３ｂを折曲げて組立てることによりシート２１ののり付部２３ａ，２３ｂ間又は２４ａ，２４ｂ間をたるませて保冷材４１その他の備品を収納するポケット２２を形成したことを特徴としている。
【０００５】
第２に、箱材を一定の厚みを有する紙材とし、折目６ａ，６ｂ，６ｃ，６ｄ又は折目６ａ，６ｂ，６ｃ，６ｄ両側近傍の断面部の内面側が圧縮され外面側が伸展されることにより上記シート２１のたるみを生じさせることを特徴としている。
【０００６】
第３に、折目６ａ，６ｂ，６ｃ，６ｄが折目６ａ，６ｂ，６ｃ，６ｄ形成加工によりその断面内において軟質化され且つ内面側に突出する凸状に形成されたことを特徴としている。
【０００７】
第４に、直線状に且つ連続的又は間欠的に形成されたのり付部２３ａ，２３ｂ，２４ａ，２４ｂと交差する側のシート２１の一方の辺又は両方の辺の端部を非接着の開放された端部としたことを特徴としている。
【０００８】
第５に、シート２１がフィルム，紙，不織布又は布からなることを特徴としている。
【考案の効果】
【０００９】
以上の如く構成される本考案の包装箱におけるポケット構造によれば、以下に示すような効果を奏するものである。
（１）天板又は周壁の内面の折目上又は折目近接位置に直線状ののり付部を形成して、シートの一端を貼着するとともに、該シートの他方の端部を天板又は周壁の他方の辺側に貼着固定して、天板又は周壁の折曲げて組立てることによって、のり付部間をたるませて、ポケットを形成する構成であるので、予め出荷時に平板状態でシートを貼着し、店頭等の現場では天板又は周壁を折り曲げて組立てるだけで、容易且つ迅速に保冷材等を収納するポケットを形成することができる。また平板状態でシートを貼着固定するので、事前にたるみを持たせて貼着固定する必要が無く、天板又は周壁を折り曲げた際には保冷材等を収納する必要最小限の収納スペース（ポケット）を確保することができる。
【００１０】
（２）一定の厚みを有する紙材の折目が断面内において、軟質化され且つ内面側に突出する凸状に形成されているので、該折目に沿って天板又は周壁を折曲げた際に、折目又は折目両側近傍の断面部の内面側はより圧縮され、外面側はより伸展される。よって折目上又は折目近接位置ののり付部間のたるみ形成を容易に補助することができる。
【００１１】
（３）直線状ののり付部と交差する側のシートの一方又は両方の辺の端部を非接着の開放された端部とすることにより、筒状又は袋状のポケットを形成することができるほか、シート材としてはフィルム，紙，不織布，布から自由に選択できるので、用途，環境対策，効用，デザイン等にあわせることができる。
【考案を実施するための最良の形態】
【００１２】
以下本考案の実施形態を図面に基づき説明する。図１は本包装箱の箱組み完成状態を示す斜視図，図２は開蓋状態示す斜視図、図３は内面展開図、図４は保冷材とその他の備品をポケットに収納後の図１のＡ−Ａ断面図、図５は折目の拡大断面図であり、（Ａ）は周壁の起立前、（Ｂ）は周壁の起立後を示し、図６はポケットの他の形成方法を示す平断面図であり、（Ａ）は正方形，（Ｂ）は正五角形の底板の包装箱である。
【００１３】
包装箱１は図３の内面展開図に示すように、（図３においては下から順に）正方形又は長方形の底板２，正方形又は長方形の右側壁３ａ，底板２と略同形状の天板４，正方形又は長方形の左側壁３ｂが、谷線状で且つ直線的な辺を構成する折目６ａ，６ｂ，６ｃを介して折曲げ可能に連設されている。底板２には前後壁７ａ，７ｂが、右側壁３ａには右前後フラップ８ａ，８ｂが、天板４には内前後壁９ａ，９ｂが、左側壁３ｂには左前後フラップ１１ａ，１１ｂがそれぞれ前後部の開口部の閉塞手段として折曲げ可能に連設されている。この例では、側壁３ａ，３ｂと前後壁７ａ，７ｂが周壁として構成されている。
【００１４】
前後壁７ａ，７ｂの先端には係止片１２が折曲げ可能に連設されており、天板４と内前後壁９ａ，９ｂの折目中央には係止孔１３が形成され、該係止孔１３両側に、前記係止片１２の幅に対応する切込み１４が形成されている。そして箱組み時には上記係止片１２を係止孔１３及び切込み１４に挿入することにより、前後部の開口部を閉塞保持する構成となっている。
【００１５】
左側壁３ｂには折目６ｄを介して接着片１６が折曲げ可能に連設され、該接着片１６には接着代１７ａが形成されている。そして底板２の左端（図３においては底板２の下端）に上記接着代１７ａに対応する接着代１７ｂが設けられ、出荷時には接着代１７ａ，１７ｂを接着固定して板状の状態（図示しない）で出荷する構成となっている。
【００１６】
天板４には該天板４の一部をＵ字型に切り取った一対の把手１８が設けられており、該把手１８によって切残し形成された切残し孔１９を透明樹脂等のフィルムからなるシート２１によって閉塞する構成となっている。該シート２１は接着剤等により貼着固定されており、該シート２１によって包装箱内への塵や埃の侵入を防止するだけでなく、包装箱内にケーキ等の内容物を収納後も該切残し孔１９に貼着した透明樹脂フィルム製のシート２１を通して内容物を確認することができる。この例ではシート２１は切残し孔１９の閉塞だけでなく、後述するように該シート２１を側壁３ａ，３ｂに延長して保冷材４１その他の備品を収納するポケット２２を形成している。
【００１７】
図３の内面展開図に示すように、上記シート２１は天板４の内面側に把手１８の切残し孔を閉塞するために、折目６ｂ，６ｃ上又は折目６ｂ，６ｃ近接位置の直線状の連続的なのり付部２３ａ，２３ｂと把手１８の切残し部ののり付部２３ｃによって貼着固定されている。側壁３ａ，３ｂに延長されたシート２１は折目６ａ，６ｂ，６ｃ，６ｄ上又は折目６ａ，６ｂ，６ｃ，６ｄ近接位置の折目に沿った直線状の連続的なのり付部２４ａ，２４ｂによって側壁３ａ，３ｂの内面側の上下端部が貼着された構成となっている。そして側壁３ａ，３ｂを起立方向に折り曲げた際に、のり付部２４ａ，２４ｂ間がたるみ、保冷材４１その他の備品の出し入れ口である開口部を前後に備えた筒状のポケット２２が形成される構成となっている。
【００１８】
さらに図５の（Ａ），（Ｂ）に示すように、この実施例では折目６ｂ，６ｃ断面は他の部分より紙繊維がほぐされた状態で低密度状態となっており、板紙両側に突出したふくらみ状態となっている｛図５の（Ａ）参照｝。折曲げ時に折目６ｂ，６ｃの紙断面外側は折曲げによって引き伸ばされるのに対し、折目６ｂ，６ｃの紙断面内側は折曲げにより圧密（高密度）状態となり｛図５の（Ｂ）参照｝、その内側のシート２１も折目６ｂ，６ｃ両側へ緩み（たるみ）状態で押し寄せられるものと推測される。この内側が圧密状態になる作用は、折目６ｂ，６ｃの断面形状が、例えば内側が凸状で外側が凹状の場合でも変わらず、折曲げ時に折目６ｂ，６ｃ両側のシート２１がたるみ方向に変化する現象も共通に表われる。ただし本包装箱に用いる箱材は一定の厚みを有する紙材とした。
【００１９】
上記構成による本包装箱１は、上述したようにシート２１をのり付部２３ａ，２３ｂ，２３ｃ，２４ａ，２４ｂによって天板４及び側壁３ａ，３ｂの内面側に貼着固定する。そして底板２，前後壁７ａ，７ｂ，右前後フラップ８ａ，８ｂ上に、折目６ｂを介して天板４，内前後壁９ａ，９ｂ，左前後フラップ１１ａ，１１ｂを二つ折りにして、折畳んで重ね合わせた板状の状態（図示しない）で、左側壁３ｂに連設された接着片１６の接着代１７ａを底板２の接着代１７ｂに貼着固定し店頭等の現場へ出荷する。
【００２０】
店頭の現場では上述の折畳んだ重ね合わせ状態から、天板４の把手１８を等を持って、側壁３ａ，３ｂを起立方向に回動させる。この時、上述したように側壁３ａ，３ｂ内面側ののり付部２４ａ，２４ｂ間に生じたたるみによってポケット２２が形成される。そして左右後フラップ８ｂ，１１ｂを内側にアングル状に折り曲げるとともに、内後壁９ｂも同様に内側にアングル状に折曲げ、次に後壁７ｂを起立方向に折り曲げて、係止孔１３及び切込み１４に後壁７ｂに連設された係止片１２を挿入し係止固定し、側壁３ａ，３ｂ及び後壁７ｂ等の起立を保持する。
【００２１】
図２に示すように前壁７ａ，右前フラップ８ａ，内前壁９ａ，左前フラップ１１ａで構成される前部の閉塞手段の開放状態において、保冷材４１とローソク４２やカード４３等のその他の備品を収納する（図２，４参照）とともに、ケーキ等の内容物を従来公知のケーキ用トレーとともに底板２上に挿入載置する。そして左右前フラップ８ａ，１１ａを内側にアングル状に折り曲げるとともに、内前壁９ａも同様に内側にアングル状に折曲げ、次に前壁７ａを起立方向に折り曲げて、係止孔１３及び切込み１４に前壁７ａに連設された係止片１２を挿入固定し、前部開口部を閉塞する。
【００２２】
以上のように構成される本考案の包装箱におけるポケット構造は、天板に把手を備えた包装箱において、把手の切残し孔を閉塞するフィルムを側壁に延長することによって左右両側のポケットを容易に形成することができるという利点がある。また一方のポケットには保冷材を収納し、他方のポケットにはろうそく等の他の備品を収納すると説明した上記態様に限らず左右両側のポケットに保冷材を収納することもできる。さらに天板に形成された把手の切残し孔を閉塞するシートも透明樹脂製のフィルムに限らず、紙，不織布，布等により把手の切残し孔を閉塞し、且つ左右側壁にポケットを形成することができる。
【００２３】
この例ではシートによって形成されたポケットには、前後部に保冷材等の備品の挿入口を備えた筒状のポケットとして構成されておりますが、後部の開口部を接着固定した袋状のポケットとすることもできる。また天板に形成された把手の切残し孔を閉塞するシートとは別に、別途シートを周壁に貼着固定し、ポケットを形成することができる。さらに天板に把手を設けていない包装箱では、天板裏面側のシートを側壁３ａ，３ｂ側ののり付部２３ａ，２３ｂのみで貼着固定することにより、天板裏面側にもポケットを形成することが可能である。
【００２４】
さらに図６の平断面図に示すように隣接する周壁間の相対する辺の折目上又は折目近接位置に縦方向の直線状ののり付部によってシートの両端を貼着固定し、天板又は蓋部側に開口部を備えたポケットを形成することができる。よって一体の紙にて天板等の蓋部を構成する包装箱だけでなく、蓋部を別途形成して箱本体に被せる構成の包装箱でも上記シートによるポケットを形成することができる。その他、底板及び天板は正方形又は長方形に限らず六画形等の各種多角形とすることもできる。またポケットを形成する直線状ののり付部は間欠的なのり付部とすることも可能である。
【産業上の利用可能性】
【００２５】
この考案は主としてケーキ用包装箱のほか、フルーツその他の保冷食材等の包装箱にも応用できるものである。
【図面の簡単な説明】
【００２６】
【図１】本包装箱の箱組み状態を示す斜視図である。
【図２】本包装箱の開蓋状態を示す斜視図である。
【図３】本包装箱の内面展開図である。
【図４】本包装箱のポケットに保冷材とその他の備品を収納後の図１におけるＡ−Ａ断面図である。
【図５】本包装箱の折目部の拡大断面図を示し、（Ａ）は周壁の起立前、（Ｂ）は周壁の起立後を示す。
【図６】他のポケットの形成方法を示す平断面図であり、（Ａ）は正方形，（Ｂ）は正五角形の底板の包装箱である。
【符号の説明】
【００２７】
１      包装箱
２      底板
３ａ    右側壁（周壁）
３ｂ    左側壁（周壁）
４      天板
６ａ    折目
６ｂ    折目
６ｃ    折目
６ｄ    折目
７ａ    前壁（周壁）
７ｂ    後壁（周壁）
９ａ    内前壁
９ｂ    内後壁
２１    シート
２２    ポケット
２３ａ  のり付部
２３ｂ  のり付部
２４ａ  のり付部
２４ｂ  のり付部
４１    保冷材
【図１】
0003107354.tif 000003
【図２】
0003107354.tif 000004
【図３】
0003107354.tif 000005
【図４】
0003107354.tif 000006
【図５】
0003107354.tif 000007
【図６】
0003107354.tif 000008